(57)【特許請求の範囲】
【請求項１】
基布により袋状に形成され、折り畳まれた状態からガスが供給されて、車室内の上下方向に沿って延びるピラー部及びこのピラー部の前方に位置する窓部を含む所定面に沿って下方に展開するエアバッグ本体部を備えたエアバッグであって、
前記エアバッグ本体部は、
前記ピラー部に対向する位置に膨張するピラー部用膨張部と、
前記窓部に対向する位置に膨張する窓部用膨張部と、
前記基布を接合して前記ピラー部用膨張部と前記窓部用膨張部との間を区画するとともに、前記ピラー部用膨張部の上部の車室内方への膨張量を下部よりも小さく規制する区画部とを備え、
前記区画部は、
前記ピラー部用膨張部の下部と前記窓部用膨張部の下部とを区画し上下方向に沿って延びる区画部本体と、
この区画部本体の上部に連続し、前記ピラー部用膨張部の上部の位置で後方へと突出する突出部と、
この突出部に連続し、この突出部から前方へと折り返されて前記窓部用膨張部の上部に位置する折り返し部とを備えた
ことを特徴とするエアバッグ。
【請求項２】
エアバッグ本体部の上部に設けられこのエアバッグ本体部にガスを導入するガス導入部を具備し、
前記エアバッグ本体部は、折り畳み状態で、突出部及び折り返し部よりも下方の下側領域が車室外方に巻き上げられた集積部と、前記突出部及び前記折り返し部が車室外方となるように前記突出部及び前記折り返し部を含む上側領域が前記集積部に重ねられた重ね部とを備えた
ことを特徴とする請求項１記載のエアバッグ。
【発明の詳細な説明】
【技術分野】
【０００１】
本発明は、ピラー部及び窓部を含む車室内の所定面に沿って展開するエアバッグ本体部を備えたエアバッグに関する。
【背景技術】
【０００２】
従来、ガスが導入されて膨張展開するエアバッグを備えたエアバッグ装置について、自動車の車室の側部のピラー部及びドアの窓部などを含む所定面に沿ってエアバッグを展開するいわゆるカーテンエアバッグ装置が知られている。このようなエアバッグ装置のエアバッグは、通常時は細長く折り畳まれ、窓部の上縁部のルーフサイド部に沿って配置されている。そして、側面衝突や横転（ロールオーバー）などの衝撃を受けた際に、インフレータからガスが供給され、エアバッグが側部の窓ガラスなどに沿って下方に膨張展開して、乗員を拘束して頭部などを保護する。
【０００３】
このようなエアバッグ装置では、例えば乗員の頭部が窓部のガラスに接触した、いわゆるヘッドオングラス状態（ＨＯＧ状態）においても、乗員の頭部とガラスとの間にエアバッグを入り込ませてセルを展開することが求められる。そこで、例えばエアバッグの車内側に展開誘導布を設け、この展開誘導布を乗員の頭部とガラスとの間に入り込ませるように展開させることで、ＨＯＧ状態に対応する構成が知られている（例えば、特許文献１参照。）。
【先行技術文献】
【特許文献】
【０００４】
【特許文献１】特開２０００−６２５６２号公報  （第４−７頁、図１−３）
【発明の概要】
【発明が解決しようとする課題】
【０００５】
しかしながら、上述の構成の場合、窓部のガラスの大きさによっては、大きな展開誘導布の設定が必要になる場合がある。そのため、ＨＯＧ状態に対応しつつ、よりコストや重量を抑制し、レイアウトの自由度を向上することが望まれている。
【０００６】
一方で、例えば米国法規（ＦＭＶＳＳ）２２６に規定するような、乗員の車外放出軽減性能を満たすことも求められる。この場合、センターピラーやリアピラーなどのピラー部に対向する位置でのエアバッグに充分な膨張量が必要となり、上記のＨＯＧ状態に対応する性能を満足させることが容易でない。
【０００７】
本発明は、このような点に鑑みなされたもので、乗員の頭部と窓部との間にエアバッグ本体部を効果的に入り込ませることができるとともに、保護性能を確保できるエアバッグを提供することを目的とする。
【課題を解決するための手段】
【０００８】
請求項１記載のエアバッグは、基布により袋状に形成され、折り畳まれた状態からガスが供給されて、車室内の上下方向に沿って延びるピラー部及びこのピラー部の前方に位置する窓部を含む所定面に沿って下方に展開するエアバッグ本体部を備えたエアバッグであって、前記エアバッグ本体部は、前記ピラー部に対向する位置に膨張するピラー部用膨張部と、前記窓部に対向する位置に膨張する窓部用膨張部と、前記基布を接合して前記ピラー部用膨張部と前記窓部用膨張部との間を区画するとともに、前記ピラー部用膨張部の上部の車室内方への膨張量を下部よりも小さく規制する区画部とを備え、前記区画部は、前記ピラー部用膨張部の下部と前記窓部用膨張部の下部とを区画し上下方向に沿って延びる区画部本体と、この区画部本体の上部に連続し、前記ピラー部用膨張部の上部の位置で後方へと突出する突出部と、この突出部に連続し、この突出部から前方へと折り返されて前記窓部用膨張部の上部に位置する折り返し部とを備えたものである。
【０００９】
請求項２記載のエアバッグは、請求項１記載のエアバッグにおいて、エアバッグ本体部の上部に設けられこのエアバッグ本体部にガスを導入するガス導入部を具備し、前記エアバッグ本体部は、折り畳み状態で、突出部及び折り返し部よりも下方の下側領域が車室外方に巻き上げられた集積部と、前記突出部及び前記折り返し部が車室外方となるように前記突出部及び前記折り返し部を含む上側領域が前記集積部に重ねられた重ね部とを備えたものである。
【発明の効果】
【００１０】
請求項１記載のエアバッグによれば、区画部本体の上部に連続して、ピラー部用膨張部の上部の位置で後方へと突出する突出部を備えるとともに、この突出部に連続して、この突出部から前方へと折り返されて窓部用膨張部の上部に位置する折り返し部を備える区画部によりピラー部用膨張部の上部の車室内方への膨張量を下部よりも小さく規制することで、基布を接合した区画部近傍はエアバッグ本体部の膨張が規制されるので、折り畳まれた状態から乗員の頭部と窓部との間に効果的に入り込むことができるとともに、ピラー部用膨張部は、上部の車室内方への膨張量が下部よりも規制されているので、車室内方への膨張量が相対的に大きい下部が早期にピラー部に当接して張りが持たされ、保護性能を確保できる。
【００１１】
請求項２記載のエアバッグによれば、請求項１記載のエアバッグの効果に加え、突出部及び折り返し部の近傍を窓部に沿わせて展開させることができ、乗員の頭部と窓部との間にエアバッグ本体部をより効果的に入り込ませることができる。
【図面の簡単な説明】
【００１２】
【図１】本発明のエアバッグの第１の実施の形態の展開状態を車室側から示す側面図である。
【図２】同上エアバッグのＩ−Ｉ相当位置での断面図である。
【図３】同上エアバッグのＩ−Ｉ相当位置での収納状態の断面図である。
【図４】同上エアバッグのエアバッグ本体部の展開動作の一部を模式的に示し、（ａ）は正面図、（ｂ）は平面図である。
【図５】本発明のエアバッグの第２の実施の形態の展開状態を車室側から示す側面図である。
【図６】同上エアバッグのエアバッグ本体部の展開動作の一部を模式的に示す平面図である。
【発明を実施するための形態】
【００１３】
以下、本発明のエアバッグの第１の実施の形態を図面を参照して説明する。
【００１４】
図１ないし図４において、10はエアバッグで、このエアバッグ10を備えたエアバッグ装置11は、カーテンエアバッグ装置とも呼ばれるもので、車両である自動車の車体の車室14の収納位置としてのルーフサイド部15に配置されている。そして、このエアバッグ10は、カーテンエアバッグ、側突用エアバッグ、インフレータブルカーテン、あるいは頭部保護用エアバッグなどとも呼ばれるもので、側面衝突の衝撃を受けた際や横転（ロールオーバー）の際などに、被保護物としての乗員の側方にほぼ面状に所定方向である下方へと展開し、乗員Ａの頭部Ｈなどを保護するようになっている。
【００１５】
なお、以下、前後方向、車幅方向である両側方向、上下方向などの方向は、車両の直進方向を基準とし、前側方向（矢印Ｆ方向）、後側方向（矢印Ｒ方向）、上方（矢印Ｕ方向）、下方（矢印Ｄ方向）、車室14の外方（矢印Ｗ方向）、車室14の内方（矢印Ｃ方向）などを説明する。
【００１６】
そして、この自動車の車体は、車室14内に乗員が着座可能な前席及び後席を備え、これら前席及び後席に対応して、それぞれ上部に開口可能なガラス18a，19aにより覆われた（第１及び第２の）窓部（サイドウィンドウ）18，19を備えた図示しないドアが設けられている。また、車室14の両側には、前側から順に、Ａピラーとも呼ばれる（第１の）柱状体としてのフロントピラー21、Ｂピラーとも呼ばれる（第２の）柱状体としての（第１の）ピラー部であるセンターピラー22、Ｃピラーとも呼ばれる（第３の）柱状体としての（第２の）ピラー部であるリアピラー23が設けられており、フロントピラー21の後方でかつセンターピラー22の前方に窓部18（ガラス18a）が位置し、センターピラー22の後方でかつリアピラー23の前方に窓部19（ガラス18a）が位置している。そして、これら窓部18，19（ガラス18a，19a）、ドア及び各ピラー21，22，23により、車室14の両側部に所定面24が構成されている。また、これらピラー21，22，23の上側、すなわち窓部18，19の一縁部である上縁部に、ルーフサイドレールなどとも呼ばれる被取付部材を構成する車体パネル25が設けられ、この車体パネル25を介して天井部としての天井パネルが支持されている。また、両側のフロントピラー21の前側にはフロントガラス（フロントウインドシールド）が設けられ、両側のリアピラー23の後側にはリアガラスが設けられている。そして、収納位置としてのルーフサイド部15は、天井パネルの両側の縁部の部分から、この縁部の部分といわば交差する方向に伸びるフロントピラー21及びリアピラー23のほぼ全長にかかる部分にまで設定され、これら天井パネルの縁部の部分とフロントピラー21及びリアピラー23とで仮想的に構成される弧の内側に、エアバッグ10が展開する所定面24が設定される。
【００１７】
なお、ここで、センターピラー22とは、前後の端部のピラー部ではなく、展開したエアバッグ10に覆われるピラー部を示す。また、車両の種類によっては、片側に例えば４本以上のピラー部を備える場合があるが、前から３本目以後のピラー部は、リアピラー23として説明する。
【００１８】
そして、エアバッグ装置11は、前後の座席の乗員を保護可能な、いわゆる前後席用エアバッグであり、車体パネル25と各ピラー21，22，23の上端から天井へと連続する内装材としての天井被覆部材であるヘッドライニング26となどに囲まれたルーフサイド部15すなわち車体のドア開口部の上縁に沿って細長く折り畳んで収納されたエアバッグ10と、後席の後方あるいは上方に収納されこのエアバッグ10にガスを供給するガス発生器であるインフレータ27となどを備えている。また、このエアバッグ装置11は、エアバッグ10を車体パネルに取り付ける金属板をプレス加工などして形成された図示しないブラケット、及び折り畳んだエアバッグ10の形状を保持する破断可能な筒状あるいは紐状の形状保持部材としてのスリーブ、エアバッグ10の前端部に連結されたテザー部としてのテザーベルト29などが備えられている。また、各ピラー21，22，23のそれぞれの車室14の室内側は、構造物としてのカバー体すなわち被覆内装材であるピラーガーニッシュ30により覆われている。
【００１９】
そして、エアバッグ10は、インフレータ27が挿入接続されガスが導入されるインフレータ接続部としてのガス導入部32と、扁平な袋状に形成されたエアバッグ本体部33とを備え、複数の取付部34を介して上縁部の複数箇所が車体側に取り付けられて、細長く折り畳んだ状態でセンターピラー22の上方であるルーフサイド部15に前後方向に沿って長手状に収納される。本実施の形態では、エアバッグ10は、いわゆるセンターマウントタイプのものであり、ガス導入部32が例えばエアバッグ本体部33の上部の前後方向の中央部に突設されている。また、本実施の形態では、エアバッグ10の内部に、補強部材36が配置されている。
【００２０】
ガス導入部32及びエアバッグ本体部33は、単数または複数、例えば本実施の形態では車室14の室内側に位置する基布である第１の基布41と、車室14の室外側である車体側に位置する基布である第２の基布42とにより構成されている。そして、第１及び第２の基布41，42は、外縁部が主区画線であるエアバッグ接合部45により接合されることで、エアバッグ10にガス導入部32とエアバッグ本体部33とが設定されている。このエアバッグ接合部45は、エアバッグ本体部33の長手方向に沿って第１及び第２の基布41，42の前端部、下端部及び後端部に亘って連続するとともに、上端部からガス導入部32の前後両端部に亘って連続している。このため、ガス導入部32の後端部（上端部）が、インフレータ27が挿入される挿入開口43となっている。
【００２１】
また、補強部材36は、ガス導入部32をガスの圧力などに対して補強するとともにガスをエアバッグ本体部33内の前後に分配するためのものであり、第１及び第２の基布41，42間に挟まれ、これら第１及び第２の基布41，42に一体的に固定されて位置している。そして、この補強部材36は、単数または複数の補強用基布47が折り返されて筒状に重ね合わせられ補強部材接合部48により接合されることで、ガス導入部32の内部に沿って上下方向に位置する筒状の突出補強部36aと、この突出補強部36aの下端部と連通するとともにエアバッグ本体部33内にて前後方向に分岐して延びる筒状の通気部36bとを備えて構成される。なお、この補強部材36は、図２では説明をより明確にするために図示を省略している。
【００２２】
なお、各接合部45，48は、例えば縫製、接着、あるいは縫製とシール手段との併用などにより略気密あるいは高度な気密に構成されている。
【００２３】
エアバッグ本体部33は、第１及び第２の基布41，42が重ねられてエアバッグ接合部45で接合されて構成され、流入したガスにより膨張展開するように形成されている。このエアバッグ本体部33は、中空部である気室であり、複数の分割区画線である本体接合部51により複数の膨張部（セル）52に分割されている。そして、このエアバッグ本体部33の膨張部52は、補強部材36を介してガス導入部32と直接連通し、インフレータ27から供給されたガスが、補強部材36の通気部36bを介してガス導入部32から直接供給されるようになっている。
【００２４】
ここで、この膨張部52には、本実施の形態では、第１ないし第５の膨張部54，55，56，57，58が設定されている。
【００２５】
第１の膨張部54は、エアバッグ本体部33の前端部に位置して前席の前側の側方、すなわちフロントピラー21及び窓部18（ガラス18a）の車室14側に対向する位置に膨張展開する前端膨張部であり、上下方向に長手状に形成されている。この第１の膨張部54の上部は、前方へと下側に傾斜している。
【００２６】
第２の膨張部55は、第１の膨張部54の後部に隣接して位置して前席の後側の側方、すなわちセンターピラー22の前方にて窓部18（ガラス18a）の車室14側に対向する位置に膨張展開する（第１の）窓部用膨張部であり、前席の乗員Ａの頭部Ｈと対向する部分である。この第２の膨張部55は、上部55aが補強部材36の通気部36bの前端部と直接連通している。また、この第２の膨張部55は、前側部が後側部に対して下方へと突出して形成されており、前側部の下端部が第１の膨張部54の下端部と略等しい高さ位置となっている。したがって、この第２の膨張部55の下部55bは、下端部が後側部から前側部へと下方に段差状となるように形成されている。
【００２７】
第３の膨張部56は、第２の膨張部55の後部に隣接して位置して前席と後席との間の側方、すなわちセンターピラー22の車室14側に対向する位置に膨張展開する（第１の）ピラー部用膨張部であり、上下方向に沿って長手状に形成され、上部56aがガス導入部32の下端部に対向して位置している。すなわち、この上部56aには、補強部材36の一部、本実施の形態では、補強部材36の突出補強部36aと通気部36bとが連続する部分、すなわち突出補強部36aの下端部が位置している。さらに、この第３の膨張部56は、センターピラー22の形状に対応して、上部56aから下部56bへと、前方下側に向けて傾斜している。
【００２８】
第４の膨張部57は、第３の膨張部56の後部に隣接して位置して後席の前側の側方、すなわちセンターピラー22の後方にて窓部19（ガラス19a）の車室14側に対向する位置に膨張展開する膨張部であり、エアバッグ本体部33の下端部の位置で前後方向に沿って長手状に形成されている。また、この第４の膨張部57の上部には、第３の膨張部56と第５の膨張部58とを連通する連通路59が前後方向に沿って形成されている。この連通路59は、補強部材36の通気部36bの後部、すなわち第３の膨張部56の上部56aと直接連通している。
【００２９】
第５の膨張部58は、後席の後側の側方、すなわち窓部19（ガラス19a）及びリアピラー23の車室14側に対向する位置に膨張展開する後端膨張部であり、上下方向に沿って長手状に形成されている。この第５の膨張部58は、上部58aが連通路59と連通し、下部58bが第４の膨張部57の後部に隣接している。
【００３０】
そして、本体接合部51は、第１及び第２の基布41，42を車幅方向に接合して構成されている。本実施の形態では、この本体接合部51には、前側から後側へと、第１ないし第４の区画接合部61，62，63，64が設定されている。なお、この本体接合部51は、例えば縫製、接着、あるいは縫製とシール手段との併用などにより略気密あるいは高度な気密に構成されている。
【００３１】
第１の区画接合部61は、第１の膨張部54と第２の膨張部55とを前後に区画するもので、エアバッグ接合部45の前側寄りの位置である窓部18（ガラス18a）に対向する位置の上端部から、前方下側に向けて上下方向に沿って直線長手状に延びて形成され、先端側である下端がエアバッグ接合部45の下端部に対して上方に離間されている。したがって、この第１の区画接合部61の先端（下端）には、エアバッグ接合部45との間に、第１の膨張部54と第２の膨張部55とを連通する連通口66が形成されている。また、この第１の区画接合部61は、補強部材36の通気部36bの前方に対向して位置している。
【００３２】
第２の区画接合部62は、第２の膨張部55内を前後に区画してガスの流れを制御するもので、第１の区画接合部61よりも後方で、かつ、エアバッグ接合部45の前側寄りの位置である窓部18（ガラス18a）に対向する位置の下端部から、上側に向けて短手状に延びて形成されている。
【００３３】
第３の区画接合部63は、第２の膨張部55と第３の膨張部56とを前後に区画する（第１の）区画部であり、第２の区画接合部62よりも後方で、かつ、エアバッグ接合部45の前端部寄りの位置である窓部18（ガラス18a）に対向する位置の下端部から、後方上側に向けて上下方向に沿って直線長手状に延びる（第１の）区画部本体である直線部63aと、この直線部63aの上端部に連続する（第１の）突出部63bと、この突出部63bに連続する（第１の）折り返し部63cとを備えている。そして、突出部63bは、直線部63aの上端部から後方上側に向けて、すなわちガス導入部32の下端部に向けて補強部材36の通気部36bの下部の位置まで延びている。また、折り返し部63cは、突出部63bに対して前方へと円弧状に湾曲して折り返され、補強部材36の下部に沿って位置している。したがって、この折り返し部63cの上部には、エアバッグ接合部45との間に、第２の膨張部55と第３の膨張部56とを連通する連通口67が形成されている。そして、この第３の区画接合部63により、第２の膨張部55の上部55a、及び第３の膨張部56の上部56aの車室14側への膨張量が抑制されている。したがって、これら第２及び第３の膨張部55，56は、第３の区画接合部63により、上部55a，56aの車室14内方への膨張量が下部55b，56bの車室14内方への膨張量よりも小さく設定されている。
【００３４】
これら第１ないし第３の区画接合部61，62，63は、それぞれフロントピラー21よりも後方で、かつ、センターピラー22よりも前方の位置、すなわち窓部18（ガラス18a）の車室14側に対向する位置に配置されている。
【００３５】
第４の区画接合部64は、第３の膨張部56と第４の膨張部57とを区画するとともに、第４の膨張部57と第５の膨張部58及び連通路59とを区画するものであり、エアバッグ接合部45の後端部寄りの位置である窓部19（ガラス19a）に対向する位置の下端部から、前方上側に向けて上下方向に沿って直線長手状に延びて第４の膨張部57と第５の膨張部58とを前後に区画する基端部64aと、この基端部64aの上端部に連続し前方上側に向けて傾斜した直線長手状に延びて連通路59と第４の膨張部57とを上下に区画する中間部64bと、この中間部64bの前端部に連続し前方下側に向けて傾斜した直線長手状に延びて第３の膨張部56と第４の膨張部57とを前後に区画する先端部64cとを備えている。そして、先端部64cの先端（下端）は、エアバッグ接合部45の下端部の上方に離間されて位置している。このため、この先端部64cの下端には、エアバッグ接合部45との間に、第３の膨張部56と第４の膨張部57とを連通する連通口68が形成されている。また、中間部64bは、第３の区画接合部63の突出部63bの上側及び折り返し部63cよりも下方に位置している。換言すれば、第３の区画接合部63の突出部63bの上側及び折り返し部63cが、第４の区画接合部64よりも上方に位置している。
【００３６】
取付部34は、例えば車体取付用の取付片であり、エアバッグ本体部33の上縁部の所定位置に複数形成されている。そして、取付部34は、エアバッグ本体部33を構成する第１及び第２の基布41，42と一体に形成され、例えば、これら第１及び第２の基布41，42を重ね縫着して形成されている。
【００３７】
ヘッドライニング26は、例えば表皮体を備えた合成樹脂などにより形成され、ルーフサイド部15のフロントピラー21及びリアピラー23のほぼ全長から天井部に亘って配置され、折り畳まれたエアバッグ10を含むエアバッグ装置11の車室14の室内側を覆っている。このヘッドライニング26の下端部は、ピラーガーニッシュ30に係合されている。そして、このヘッドライニング26は、エアバッグ10の展開時にルーフサイド部15において下端部が屈曲するように変形することでピラーガーニッシュ30の上端から離反して、エアバッグ10を車室14内へと膨張展開可能としている。
【００３８】
インフレータ27は、細長い円筒状に形成されている。このインフレータ27は、薬剤を燃焼させる燃焼式（パイロテクニックタイプ）、ガスを高圧で貯蔵する貯蔵式（ストレージタイプ）、あるいはこれら燃焼式と貯蔵式とを組み合わせたハイブリッド式などのガス発生手段が内蔵されている。そして、このインフレータ27には、ガスを噴射するガス噴射部71が長手方向の一端部に設けられ、このガス噴射部71がエアバッグ10の挿入開口43から、すなわち後方からガス導入部32内へと挿入されて固定されている。さらに、インフレータ27の他端部には、ハーネスと呼ばれる電線が接続される図示しないコネクタ部が設けられている。このコネクタ部は、インフレータ27をガス導入部32内へと挿入した状態でこのガス導入部32の外側に位置している。そして、このコネクタ部を介して、インフレータ27は図示しない制御装置と電気的に接続され、この制御装置からの電気信号によりインフレータ27の動作が制御されている。
【００３９】
テザーベルト29は、エアバッグ10を例えばフロントピラー21の位置で車室14に連結するためのものであり、吊り紐、テザー、あるいはストラップなどとも呼ばれる。このテザーベルト29は、例えば本実施の形態において、エアバッグ10（エアバッグ本体部33）の前部下側にて第１の膨張部54の前方に位置している。
【００４０】
ピラーガーニッシュ30は、所定面24の一部をなすもので、例えば表皮体を備えた合成樹脂などにより上下方向に沿って長手状に形成され、各ピラー21，22，23の車室14の室内側を覆って配置されており、フロントピラー21の位置でテザーベルト29を覆っている。
【００４１】
スリーブは、所定の形状に折り畳まれたエアバッグ10の形状を保持して折り崩れを防止するもので、破断可能なスリットを設けた筒状部材や、破断可能な粘着テープなどが用いられる。
【００４２】
次に、エアバッグ10の折畳工程及び折畳形状を説明する。
【００４３】
本実施の形態において、エアバッグ10は、まず、エアバッグ本体部33を平面状に広げた状態から、ガス導入部32の挿入開口43にインフレータ27の一端側、すなわちガス噴射部71側を挿入し、このインフレータ27をエアバッグ10から外側に露出させた状態として一体的に固定する。
【００４４】
そして、エアバッグ本体部33を下端部、すなわち第１ないし第５の膨張部54，55，56，57，58の下部から車体側すなわち所定面24側（第２の基布42側）に第３の区画接合部63の直線部63aを含む程度まで巻き上げる、いわゆる外ロール状に折り畳んで集積部73を形成するとともに、第２及び第３の膨張部55，56の上部55a，56a及び連通路59をこの集積部73の上部に、両側方向にジグザグ状に重ねるように、パラソル状に折り畳んだ重ね部としての案内部74を重ねる。すなわち、集積部73には、第３の区画接合部63の突出部63b及び折り返し部63cよりも下方に位置する第１の膨張部54の下部、第２の膨張部55の下部55b、第３の膨張部56の下部56b、第４の膨張部57及び第５の膨張部58の下部58b（エアバッグ本体部33の下側領域Ｂ1）が配置され、案内部74には、第３の区画接合部63の突出部63b及び折り返し部63c以上に位置する第１の膨張部54の上部、第２の膨張部55の上部55a、第３の膨張部56の上部56a、連通路59及び第５の膨張部58の上部58a（エアバッグ本体部33の上側領域Ｂ2）が配置される。特に、第３の区画接合部63の突出部63b及び折り返し部63cは、案内部74のうち、集積部73と連続する車外側の下端の位置Ｐ（図３）に配置される。この結果、エアバッグ10が所定の細長い形状に折り畳まれる。この後、スリーブなどを用いてエアバッグ10の展開時の圧力で結合解除すなわち破断可能となるように折り畳み形状を保持する。このようにして、エアバッグ10が細長く折り畳まれ、かつ、折畳形状が保持された状態となり、カーテンエアバッグモジュールとなるエアバッグ装置11が構成される。
【００４５】
そして、上記のように折り畳まれたエアバッグ10を備えるエアバッグ装置11を車室14内に持ち込み、ヘッドライニング26及びピラーガーニッシュ30などの内装材が取り付けられる前に車体への取付作業を行う。この取付作業は、エアバッグ10の複数の取付部34及びテザーベルト29を図示しないボルトなどの固定具により車体に取り付け固定することにより行われる。このとき、センターピラー22に相当する位置にインフレータ27が固定される。また、インフレータ27から導出されたハーネスを車体に備えた制御装置に接続する。次いで、車体の天井パネルにヘッドライニング26を取り付けてエアバッグ装置11を覆うとともに、各ピラー21，22，23にピラーガーニッシュ30をそれぞれ取り付けて、エアバッグ装置11の車体への取付作業が完了する。この取付状態で、エアバッグ装置11がヘッドライニング26及びピラーガーニッシュ30によって車室14内と隔離されるとともに、ガス導入部32に挿入されたインフレータ27と、ロール状に折り畳まれたエアバッグ本体部33とが、ピラーガーニッシュ30の上方の位置に保持される。
【００４６】
次に、エアバッグ10の展開動作を説明する。
【００４７】
車両の側面衝突あるいは横転などの際には、制御装置によりインフレータ27が作動し、このインフレータ27のガス噴射部71から噴射されるガスがガス導入部32を膨張させた後、エアバッグ本体部33内へと導入されて、エアバッグ本体部33が車室14の側部の所定面24に沿って下方へと面状に膨張展開して乗員Ａを保護する。
【００４８】
より詳細には、エアバッグ10にガス導入部32にてガスが供給されると、このガス導入部32からガスが導入されたエアバッグ本体部33の案内部74の一部の膨張により押し出された集積部73がヘッドライニング26の下端部を車室14の室内側へと押しのけるように変形させ、ピラーガーニッシュ30の上端部から離反させて形成した開口部76から車室14内へと突出する。
【００４９】
車室14内に突出したエアバッグ本体部33は、案内部74が集積部73を車外側へと案内する一方で、この案内部74は、第１及び第２の基布41，42が互いに接合されている第３の区画接合部63の突出部63b及び折り返し部63cの位置は膨張せず、この第３の区画接合部63の突出部63b及び折り返し部63cの前後に位置する第２及び第３の膨張部55，56の上部55a，56aが膨張する。そこで、例えば前席の乗員Ａの頭部Ｈが窓部18のガラス18aに接触した、いわゆるヘッドオングラス状態（以下、ＨＯＧ状態という）である場合、センターピラー22の前部近傍に位置する前席の乗員Ａの頭部Ｈの位置に対向する第３の区画接合部63の突出部63b及び折り返し部63cの位置近傍でエアバッグ本体部33は膨張が規制されているため、案内部74の車外側の端部が乗員Ａの頭部Ｈと窓部18のガラス18aとの間に無理なく入り込み（図４（ａ）及び図４（ｂ））、続いてガスにより集積部73が膨張展開する。この結果、エアバッグ本体部33の展開挙動が安定し、ＨＯＧ状態の乗員Ａの頭部Ｈとガラス18aとの間に展開した第２の膨張部55により、乗員Ａの頭部Ｈを保護する。また、第３の膨張部56では、下部56bの車室14側への膨張量が上部56aよりも相対的に大きいことで、この第３の膨張部56の下部56bがセンターピラー22の下部と早期に接触して（図２）張りが持たされ、乗員Ａを強固に支持し、保護性能を確保でき、特に米国法規(ＦＭＶＳＳ)２２６に規定する車外放出軽減性能を実現できる。したがって、ＨＯＧ状態への対応と、乗員Ａの保護性能とを両立できる。なお、後席の乗員については、窓部19のガラス19aに対向して展開した第４の膨張部57及び第５の膨張部58により頭部などを保護する。
【００５０】
特に、第３の区画接合部63が、直線部63aの上部に連続して、第３の膨張部56の上部56aの位置で後方へと突出する突出部63bを備えるとともに、この突出部63bに連続して、この突出部63bから前方へと折り返されて第２の膨張部55の上部55aに位置する折り返し部63cを備えるので、第３の膨張部56の上部56aの車室14内方への膨張量を下部よりも小さく規制する第３の区画接合部63を容易に構成できる。
【００５１】
そして、このようにエアバッグ本体部33の膨張量のチューニングのみで乗員保護性能を満足できるので、エアバッグ本体部33の膨張量の増大やエアバッグ本体部33のドアトリムへの引っ掛け、あるいはエアバッグ本体部33のピラー21，22，23での張りや内圧の増加などの対応が不要である。
【００５２】
また、エアバッグ本体部33の上部にガス導入部32を設け、エアバッグ本体部33は、折り畳み状態で、突出部63b及び折り返し部63cよりも下方の下側領域Ｂ1を車室14外方すなわち車外側に巻き上げて集積部73を形成するとともに、突出部63b及び折り返し部63cを含む上側領域Ｂ2を、突出部63b及び折り返し部63cが車室14外方となるように集積部73に重ねて案内部74を形成するので、突出部63b及び折り返し部63cの近傍を窓部18（ガラス18a）に沿わせて展開させることができ、乗員Ａの頭部Ｈと窓部18（ガラス18a）との間にエアバッグ本体部33をより効果的に入り込ませることができる。
【００５３】
次に、第２の実施の形態を図５及び図６を参照して説明する。なお、上記第１の実施の形態と同様の構成及び作用については、同一符号を付してその説明を省略する。
【００５４】
この第２の実施の形態は、上記の第１の実施の形態に加えて、エアバッグ10のエアバッグ本体部33の第５の膨張部58が、窓部19（窓ガラス19a）の車室14側に対向して位置する（第２の）窓部用膨張部である第５の前部膨張部81と、リアピラー23の車室14側に対向して位置する（第２の）ピラー部用膨張部である第５の後部膨張部82とに前後に分割されているものである。
【００５５】
第５の前部膨張部81は、後席の乗員Ａの頭部Ｈと対向する部分であり、上下方向に沿って長手状に形成され、上部81aが連通路59の後端部と直接連通している。
【００５６】
第５の後部膨張部82は、第５の前部膨張部81の後部に隣接して位置して後席の後部の側方、すなわちリアピラー23の車室14側に対向する位置に膨張展開するものであり、上下方を向に沿って長手状に形成され、上部82aが連通路59の後端部と直接連通している。
【００５７】
また、本体接合部51は、第１ないし第４の区画接合部61，62，63，64に加えて、区画部である第５の区画接合部84を備えている。この第５の区画接合部84は、第３の区画接合部63と同様に、第４の区画接合部64よりも後方で、かつ、エアバッグ接合部45の後端部寄りの位置である窓部19（ガラス19a）に対向する位置の下端部から、後方上側に向けてすなわち第４の区画接合部64の基端部64aに対して拡開状に上下方向に沿って直線長手状に延びる（第２の）区画部本体である直線部84aと、この直線部84aの上端部に連続する（第２の）突出部84bと、この突出部84bに連続する（第２の）折り返し部84cとを備えている。そして、突出部84bは、直線部84aの上端部から後方上側に向けて突出している。また、折り返し部84cは、突出部84bに対して前方へと円弧状に湾曲して折り返されている。したがって、この折り返し部84cの上部には、エアバッグ接合部45との間に、連通路59と第５の前部膨張部81と第５の後部膨張部82とを連通する連通口86が形成されている。そして、この第５の区画接合部84により、第５の前部膨張部81の上部81a、及び第５の後部膨張部82の上部82aの車室14側への膨張量が抑制されている。したがって、これら膨張部81，82は、第５の区画接合部84により、上部81a，82aの車室14内方への膨張量が下部81b，82bの車室14内方への膨張量よりも小さく設定されている。
【００５８】
そして、エアバッグ10を折り畳む際には、上記の第１の実施の形態と同様に、集積部73及び案内部74を形成する。集積部73には、第３及び第５の区画接合部63，84の突出部63b，84b及び折り返し部63c，84cよりも下方に位置する第１の膨張部54の下部、第２の膨張部55の下部55b、第３の膨張部56の下部56b、第４の膨張部57及び第５の膨張部58の下部58bである第５の前部膨張部81の下部81b及び第５の後部膨張部82の下部82b（エアバッグ本体部33の下側領域Ｂ1）が配置され、案内部74には、第３及び第５の区画接合部63，84の突出部63b，84b及び折り返し部63c，84c以上に位置する第１の膨張部54の上部、第２の膨張部55の上部55a、第３の膨張部56の上部56a、連通路59及び第５の膨張部58の上部58aである第５の前部膨張部81の上部81a及び第５の後部膨張部82の上部82a（エアバッグ本体部33の上側領域Ｂ2）が配置される。特に、第３及び第５の区画接合部63，84の突出部63b，84b及び折り返し部63c，84cは、案内部74のうち、集積部73と連続する車外側の下端の位置Ｐ（図３）に配置される。
【００５９】
そして、エアバッグ10の展開の際には、上記の第１の実施の形態と同様に収納状態から順次展開するが、第１及び第２の基布41，42が互いに接合されている第５の区画接合部84の突出部84b及び折り返し部84cの位置は膨張せず、第５の区画接合部84の突出部84b及び折り返し部84cの前後に位置する膨張部81，82の上部81a，82aが膨張するので（図６）、例えば後席の乗員Ａの頭部Ｈが窓部19のガラス19aに接触したＨＯＧ状態である場合、リアピラー23の前部近傍に位置する後席の乗員Ａの頭部Ｈの位置に対向する第５の区画接合部84の突出部84b及び折り返し部84cの位置が膨張することなく、案内部74の車外側の端部が乗員Ａの頭部Ｈと窓部18のガラス18aとの間に無理なく入り込む。
【００６０】
このように、上記の第１の実施の形態の構成を、後席にも適用でき、同様の作用効果を奏することができる。
【００６１】
なお、上記の各実施の形態において、エアバッグ本体部33を構成する基布は２枚に限らず、１枚でも３枚以上でもよい。
【００６２】
また、エアバッグ本体部33の膨張部52は、センターピラー22またはリアピラー23とその前方に位置する窓部18または窓部19との内側に対向するピラー部用膨張部及び窓部用膨張部を備えていれば、第１ないし第５の膨張部54，55，56，57，58を設定する構成の他に、例えば６以上の膨張部を設定する構成や、２以上４以下の膨張部を設定する構成などとしてもよい。
【産業上の利用可能性】
【００６３】
本発明は、例えば自動車の側部の窓部に沿って取り付けられ展開することで乗員を保護するエアバッグ及びエアバッグ装置に適用できる。
【符号の説明】
【００６４】
10    エアバッグ
14    車室
18，19    窓部
22    ピラー部であるセンターピラー
23    ピラー部であるリアピラー
24    所定面
32    ガス導入部
33    エアバッグ本体部
41    基布である第１の基布
42    基布である第２の基布
55    窓部用膨張部である第２の膨張部
55a，56a，82a  上部
55b，56b，82b  下部
56    ピラー部用膨張部である第３の膨張部
63    区画部である第３の区画接合部
63a，84a  区画部本体である直線部
63b，84b  突出部
63c，84c  折り返し部
73    集積部
74    重ね部としての案内部
81    窓部用膨張部である第５の前部膨張部
82    ピラー部用膨張部である第５の後部膨張部
84    区画部である第５の区画接合部
Ｂ1   下側領域
Ｂ2   上側領域
【図１】
0006425339.tif 000002
【図２】
0006425339.tif 000003
【図３】
0006425339.tif 000004
【図４】
0006425339.tif 000005
【図５】
0006425339.tif 000006
【図６】
0006425339.tif 000007